(57)【要約】【課題】  圧力飯釜の本体と、本体の上部側の、内側に圧力蓋を有する外部蓋と、を有する電気保温圧力飯釜において、外部蓋を簡単に開閉動作できるようにすること。【解決手段】  圧力蓋１００として、周縁部に形成された複数個のガイド部１１０と、ガイド部の内側に回動可能に設置される回転片１２０と、ガイド部に沿って移動可能である複数個の固定部材１３０と、固定部材に回動可能に連結されるヒンジボタン１４０ａ、ヒンジサーバー１４０ｂおよびヒンジセンサー１４０ｃと、ヒンジボタンの一側に形成されるワンタッチで外部蓋を開閉できる開閉ボタン１５０と、開閉ボタンの一側に備えられるボタン部材１５０’と、圧力蓋に備えられるスプリング固定具１０４ａ,１０４ｂと、スプリング固定具に固定される回転片の回転制御用の回転制御スプリング１０４と、圧力蓋と本体とを締結するロック部材１６０とを有するものを用いる。【選択図】 図３
2005007138.tif 000002
【特許請求の範囲】
【請求項１】
電気保温圧力飯釜の本体と、当該本体の上部側に開閉可能に結合されており内側に圧力蓋を備えている外部蓋とを有する電気保温圧力飯釜において、
前記圧力蓋は、その周縁部に所定間隔に形成された複数個のガイド部と、当該ガイド部の内側に回動可能に設置される回転片と、前記ガイド部に沿って備えられておりガイド部に対して移動可能である複数個の固定部材と、前記固定部材に回動可能に連結されるヒンジボタン、ヒンジサーバーおよびヒンジセンサーと、前記ヒンジボタンの一側にワンタッチで前記外部蓋を開閉できるように備えられる開閉ボタンと、当該開閉ボタンの一側に備えられるボタン部材と、前記圧力蓋の所定位置に備えられる第１・第２スプリング固定具と、当該第１・第２スプリング固定具に固定されており前記回転片の回転の制御に用いられる回転制御スプリングと、前記圧力蓋に前記本体と締結できるように備えられるロック部材とを有することを特徴とする電気保温圧力飯釜蓋の開閉構造。
【請求項２】
前記回転片は、その内側に形成されている固定孔と、当該固定孔を中心にして４方向に分岐形成された翼片と、その周縁部に円形の帯形状に形成された案内片とを有しており、前記翼片と案内片とが繋がっている部分に第１ホルダー固定孔が形成されており、その一側に少なくとも１個以上のスプリング固定溝が形成されており、所定位置に回動制御片が形成されていることを特徴とする請求項１に記載の電気保温圧力飯釜蓋の開閉構造。
【請求項３】
前記固定部材は、下側に所定の幅で突出された係止突起が形成されていると共に、上側に長手方向に延びるガイド片が備えられており、当該ガイド片の上側部に前記回転片の回転方向に楕円形を形成することにより備えられる第２ホルダー固定孔と、当該第２ホルダー固定孔の一側に固定部材の移動方向に楕円形を形成することにより備えられる固定孔とを有することを特徴とする請求項１または請求項２に記載の電気保温圧力飯釜蓋の開閉構造。
【請求項４】
前記ヒンジボタンは、中心部に備えられたボタン支持孔を中心にして、２方向に分岐され、一方の分岐の終端部下側に垂直方向に備えられ前記回転片の第１ホルダー固定孔に嵌められて噛み合わせられる第１ボタンホルダーと、他方の分岐の終端部下側に垂直方向に備えられ前記固定部材の第２ホルダー固定孔に嵌められて噛み合わせられる第２ボタンホルダーとを有し、前記第１ボタンホルダーの上側に所定の傾斜角をなす傾斜面を有して突出されるように形成された突起部とを有することを特徴とする請求項１から請求項３のいずれか一項に記載の電気保温圧力飯釜蓋の開閉構造。
【請求項５】
前記ヒンジサーバーは、中心部に備えられたサーバー支持孔を中心にして２方向に分岐され、一方の分岐の終端部下側に垂直方向に備えられ前記回転片の第１ホルダー固定孔に嵌められて噛み合わせられる第１サーバーホルダーと、他方の分岐の終端部下側に垂直方向に備えられ前記固定部材の第２ホルダー固定孔に嵌められて噛み合わせられる第２サーバーホルダーとを有することを特徴とする請求項１から請求項４のいずれか一項に記載の電気保温圧力飯釜蓋の開閉構造。
【請求項６】
前記ヒンジセンサーは、中心部に備えられたセンサー支持孔を中心にして２方向に分岐され、一側に前記固定部材の第２ホルダー固定孔に嵌められて噛み合わせられるセンサーホルダーが備えられ、他側に前記回転片の回転を制御するセンサーが備えられることを特徴とする請求項１から請求項５のいずれか一項に記載の電気保温圧力飯釜蓋の開閉構造。
【請求項７】
前記開閉ボタンは、内側にピンスプリングを固定できるように突出して形成されたピンスプリング固定ストッパと、前記ピンスプリングを案内して固定できるように所定の幅を有して形成される第１ピンスプリング案内溝と、当該第１ピンスプリング案内溝と所定の間隔を有して前記ピンスプリングを固定できるように備えられる第２ピンスプリング案内溝と、両ピンスプリング案内溝の間の位置および当該位置の向かい側の位置に形成される所定幅の貫通されたロック案内溝と、その前方側に上下方向に貫通する状態で形成される制御部材締結溝とが備えられる胴体部を有すると共に、当該胴体部の前方に嵌められて前記ピンスプリングの遊動を調節するピンスプリング遊動制御部材と、前記ロック案内溝に結合され前記ピンスプリングの左右移動を調節するスライドロックとを有することを特徴とする請求項１から請求項６のいずれか一項に記載の電気保温圧力飯釜蓋の開閉構造。
【請求項８】
前記ピンスプリング遊動制御部材は、前記ピンスプリングを固定するピンスプリング固定溝が備えられており、所定傾斜角であり且つ前記ピンスプリングの遊動を案内するものである第１傾斜部および第２傾斜部を有するピンスプリング回転案内部材が備えられていることを特徴とする請求項７に記載の電気保温圧力飯釜蓋の開閉構造。
【請求項９】
前記スライドロックは、所定位置に所定角度の傾斜面を有する一方、前記ピンスプリングを固定するピンスプリング固定溝が備えられていることを特徴とする請求項７または請求項８に記載の電気保温圧力飯釜蓋の開閉構造。
【請求項１０】
前記ボタン部材は、その下側部後方に、所定の傾斜角を有すると共に前記ヒンジボタンの傾斜面を押すものであるボタン押え面が備えられており、下側であって前記開閉ボタンが位置する側に、所定幅を有すると共に傾斜面を有しており突出されるように形成された押さえ突起が備えられていることを特徴とする請求項１に記載の電気保温圧力飯釜蓋の開閉構造。
【請求項１１】
前記回転制御スプリングは、中心部が前記第１スプリング固定具に結合されており、一端が前記回転片の回転制御スプリング固定溝に固定されており、他端が前記第２スプリング固定具に固定されていることを特徴とする請求項１から請求項１０のいずれか一項に記載の電気保温圧力飯釜蓋の開閉構造。
【請求項１２】
前記圧力蓋の内側所定位置には、前記本体内部の圧力状態によって上下に遊動するものであり上下位置に移動することで回転片の回転を制御する安全ピン備えられることを特徴とする請求項１から請求項１１のいずれか一項に記載の電気保温圧力飯釜蓋の開閉構造。
【請求項１３】
前記ロック部材は、その胴体の中央部から後方側に突出されるように形成され所定角度に傾斜されるように形成された回動片を備えており、胴体が回動できるように当該胴体を前記圧力蓋に連結するヒンジが備えられており、前記ヒンジの下側部に前記本体と噛み合わせられて締結される締結突起166が形成されていることを特徴とする請求項１から請求項１２のいずれか一項に記載の電気保温圧力飯釜蓋の開閉構造。
【請求項１４】
電気保温圧力飯釜蓋の本体の内部に中間リングを備えており、当該中間リングは、前記開閉ボタンのピンスプリング遊動制御部と対応する位置に、ピンスプリング遊動制御突起を備えていることを特徴とする請求項１から請求項１３のいずれか一項に記載の電気保温圧力飯釜蓋の開閉構造。
【発明の詳細な説明】
【技術分野】
【０００１】
本発明は、電気圧力保温飯釜の蓋に関するものであって、より詳しくは、圧力蓋に開閉ボタンを備えて、ワンタッチ方式で蓋の開閉動作が行われるようにするばかりでなく、安全ピンを備えて安全に蓋を開閉できるようにした電気圧力保温飯釜蓋の開閉構造に関するものである。
【背景技術】
【０００２】
一般的に、電気保温圧力飯釜は、飯釜の上部に形成された蓋を開閉して釜の中に調理物を入れて調理をしたり、内部釜の調理物を外部に取り出したりする構造になっている。また、電気保温圧力飯釜は、調理の際、内部釜の内部が高温、高圧になるものであり、内部釜と蓋を堅固に結合できる構造でなければならない。したがって、通常、電気保温圧力飯釜は、内部の釜と蓋の周縁に、相互に係合される係止突起と係止溝が多数形成されているなど、互いに結合できるように構成されている。そして、蓋の開閉動作は、蓋に設けられた回転取っ手を用いて蓋を回転させて内部釜と蓋に形成された多数の係止突起と係止溝とを相互に着脱させることによって行われる。
【０００３】
例えば、従来技術による電気圧力保温飯釜蓋の開閉構造によれば、図１および図２に示されるように、圧力蓋４０と内部釜５０の周縁に多数の係止突起４２，５６と係止溝４４，５４とが互いに対応する位置に形成され、前記圧力蓋４０は、外部蓋３０に回動可能に設けられる回転板(図示されず)と固定ボルト４６で結合され、前記圧力蓋４０の一側周縁には圧力蓋４０を回転できるようにする取っ手６０が備えられている（特許文献１参照）。
【特許文献１】大韓民国実用新案登録第２０−０２３８９８８号公報
【０００４】
しかし、従来技術による電気圧力保温飯釜蓋の開閉構造では、圧力蓋４０の開閉動作の際、その回転力が蓋の一側に設けられた取っ手６０の回動動作によって固定ボルト４６を経て回転板に伝達される。したがって、取っ手６０を正確に水平方向に回動させなければ回転する圧力蓋４０が偏重されて回転するようになる。このようになると、圧力蓋４０と内部釜５０に形成された係止突起４２，５６と係止溝４４，５４とが正確に噛み合わなくなって、圧力蓋４０を閉めることができなくなったり、圧力蓋４０の開放の際に、偏心された部分に生じた甚だしい摩擦力が原因で、多くの力を与えて圧力蓋４０を回転させなければならなくなったりするという問題点があった。
【０００５】
そして、前記のとおり、圧力蓋４０の開放の際に無理に蓋を回転させるようになれば、回転板と圧力蓋４０とを結合させる固定ボルト４６の部位に隙間が生じ、その隙間を通じて内部釜内部の圧力が排出される（圧力が高まらない）ようになり、結果として圧力飯釜の耐久寿命が短縮するという問題点があった。
【０００６】
さらに、前記取っ手６０は外部へ突出した状態になっているので、美観上不快感を与えるばかりでなく、保管の時に使用空間を多く占めるという問題点があった。
【発明の開示】
【発明が解決しようとする課題】
【０００７】
前記のような諸問題点を解決する本発明は、圧力蓋に開閉ボタンを備えて簡単に蓋の開閉動作が行なわれるようにすることを目的とする。そして、圧力蓋内側の所定位置に安全ピンを備えて安全に蓋を開閉できるようにすることを他の目的とする。また、外部蓋の上部側に開閉ボタンを備えて保管の時の使用空間を最少化できるようにすることをさらに他の目的とする。
【課題を解決するための手段】
【０００８】
本発明は、このような課題を解決するために案出されたものであり、電気保温圧力飯釜の本体と、当該本体の上部側に開閉可能に結合されており内側に圧力蓋を備えている外部蓋とを有する電気保温圧力飯釜において、前記圧力蓋は、その周縁部に所定間隔で形成された複数個のガイド部と、当該ガイド部の内側に回動可能に設置される回転片と、前記ガイド部に沿って備えられておりガイド部に対して移動可能である複数個の固定部材と、前記固定部材に回動可能に連結されるヒンジボタン、ヒンジサーバーおよびヒンジセンサーと、前記ヒンジボタンの一側にワンタッチ方式で前記外部蓋を開閉させ得るように備えられる開閉ボタンと、当該開閉ボタンの一側に備えられる開閉ボタンを作動させるためのボタン部材と、前記圧力蓋の所定位置に備えられる第１・第２スプリング固定具と、当該第１・第２スプリング固定具に固定されており前記回転片の回転制御に用いられる回転制御スプリングと、前記圧力蓋に前記本体と締結できるように備えられるロック部材と、を有するものであることを特徴とする。
【０００９】
本発明に係る電気保温圧力飯釜は、このような圧力蓋の開閉構造を有するものである。このような開閉構造によれば、開閉ボタンを押すことによってワンタッチで簡単に圧力蓋を開閉できる。なお、ここで、ガイド部の内側とは、複数のガイド部に囲まれる圧力蓋の中心寄りの位置のことである。
【００１０】
前記回転片は、内側に形成されている固定孔と、当該固定孔を中心にして４方向に分岐形成された翼片と、その周縁部に円形の帯形状に形成された案内片とを有しており、前記翼片と案内片とが繋がっている部分に第１ホルダー固定孔が形成されており、その一側に少なくとも１個以上のスプリング固定溝が形成されており、所定位置に回動制御片が形成されていることを特徴とする。なお、スプリング固定溝は、回転片に少なくとも１つ形成されていればよいものである。
【００１１】
前記固定部材は、下側に所定の幅で突出された係止突起が形成されていると共に上側に長手方向に延びるガイド片が備えられており、当該ガイド片の上側部に前記回転片の回転方向に楕円形を形成することにより備えられる第２ホルダー固定孔と、当該第２ホルダー固定孔の一側に固定部材の移動方向に楕円形を形成することにより備えられる固定孔とを有することを特徴とする。
【００１２】
前記ヒンジボタンは、中心部に備えられたボタン支持孔を中心にして２方向に分岐され、一方の分岐の終端部下側に垂直方向に備えられ前記回転片の第１ホルダー固定孔に嵌められて噛み合わせられる第１ボタンホルダーと、他方の分岐の終端部下側に垂直方向に備えられ前記固定部材の第２ホルダー固定孔に嵌められて噛み合わせられる第２ボタンホルダーとを有し、前記第１ボタンホルダーの上側に所定の傾斜角をなす傾斜面を有して突出されるように形成された突起部とを有することを特徴とする。
【００１３】
前記ヒンジサーバーは、中心部に備えられたサーバー支持孔を中心にして２方向に分岐され、一方の分岐の終端部下側に垂直方向に備えられ前記回転片の第１ホルダー固定孔に嵌められて噛み合わせられる第１サーバーホルダーと、他方の分岐の終端部下側に垂直方向に備えられ前記固定部材の第２ホルダー固定孔に嵌められて噛み合わせられる第２サーバーホルダーとを有することを特徴とする。
【００１４】
前記ヒンジセンサーは、中心部に備えられたセンサー支持孔を中心にして２方向に分岐され、その一側に前記固定部材の第２ホルダー固定孔に嵌められて噛み合わせられるセンサーホルダーが備えられており、他側に前記回転片の回転を制御するセンサーが備えられることを特徴とする。
【００１５】
前記開閉ボタンは、内側にピンスプリングを固定できるように突出して形成されたピンスプリング固定ストッパと、前記ピンスプリングを案内して固定できるように所定の幅を有して形成される第１ピンスプリング案内溝と、当該第１ピンスプリング案内溝と所定の間隔を開いて前記ピンスプリングを固定できるように備えられる第２ピンスプリング案内溝と、両ピンスプリング案内溝の間の位置および当該位置の向かい側の位置に形成される所定幅の貫通されたロック案内溝と、その前方側に上下方向に貫通する状態で形成される制御部材締結溝とが備えられた胴体部を有すると共に、当該胴体部の前方に嵌められて前記ピンスプリングの遊動を調節するピンスプリング遊動制御部材と、前記ロック案内溝に結合され前記ピンスプリングの左右移動を調節するスライドロックとを有することを特徴とする。なお、開閉ボタンは上方から下方に押し込むタイプであり、外部蓋の上部側に開閉ボタンを備えて保管の時使用空間を最少化できる。
【００１６】
前記ピンスプリング遊動制御部材は、前記ピンスプリングを固定するピンスプリング固定溝が備えられており、所定傾斜角を有するものであり且つ前記ピンスプリングの遊動を案内するものである第１傾斜部および第２傾斜部を有するピンスプリング回転案内部材が備えられていることを特徴とする。
【００１７】
ここで、ピンスプリング固定溝は、ピンスプリング遊動制御部材の一側の所定位置に備えられることがより好ましい。そして、ピンスプリング回転案内部材は、ピンスプリング遊動制御部材の他側に備えられるのが好ましい。より具体的に記載すると、ピンスプリング回転案内部材は、ピンスプリングの棒状部先端が突き当たる面すなわち、開閉ボタンを圧力蓋に取り付けた状態で、圧力蓋の中心側に向けられる面に形成されることが好ましく、第１傾斜部および第２傾斜部を構成する傾斜面は、開閉ボタンを取り付けた状態で、ピンスプリングの棒状部先端と平行になるように形成されていることが好ましい。
【００１８】
前記スライドロックは、所定位置に所定角度の傾斜面を有する一方、前記ピンスプリングを固定するピンスプリング固定溝が備えられているものであることを特徴とする。このスライドロックの傾斜面は、ボタン部材に接する面であり、ボタン部材の動きに対応してスライドロックおよびこれに固定されたピンスプリングを左右方向に移動させるものとして機能する。
【００１９】
前記ボタン部材は、その下側部後方に、所定の傾斜角を有すると共に前記ヒンジボタンの傾斜面を押すものであるボタン押さえ面を備えており、下側であって前記開閉ボタンが位置する側に、所定幅を有すると共に傾斜面を有しており突出されるように形成されている押さえ突起を備えていることを特徴とする。
【００２０】
前記回転制御スプリングは、中心部が前記第１スプリング固定具に結合されており、一端が前記回転片の回転制御スプリング固定溝に固定されており、他端が前記第２スプリング固定具に固定されていることを特徴とする。
【００２１】
前記圧力蓋の内側所定位置には、前記本体内部の圧力状態によって上下に遊動するものであり、上下位置に移動することで回転片の回転を制御する安全ピンが備えられていることを特徴とする。
【００２２】
この安全ピン１０２は、飯釜内の圧力が上昇している状態など上方に位置する状態では回転片１２０の回転を防止して外部蓋が開かれることを防止し、下方に位置する状態では回転片１２０の回転を許容して外部蓋が開かれることを許容する。
【００２３】
前記ロック部材は、その胴体の中央部から後方側に突出されるように形成され所定角度に傾斜されるように形成された回動片を備えており、胴体が回動できるように当該胴体を前記圧力蓋に連結するヒンジが備えられており、前記ヒンジの下側部には前記本体と噛み合って締結される締結突起が形成されていることを特徴とする。
【００２４】
電気保温圧力飯釜蓋の本体の内部に中間リングを備えており、当該中間リングは、前記開閉ボタンのピンスプリング遊動制御部材と対応する位置に、ピンスプリング遊動制御突起を備えていることを特徴とする。
【発明の効果】
【００２５】
以上で説明したように、本発明による電気保温圧力飯釜蓋の開閉構造によれば、圧力蓋に開閉ボタンを備えてワンタッチ方式で蓋の開閉動作が行われるようにする効果があるのである。そして、本発明の他の効果は、圧力蓋内側の所定位置に安全ピンを備えて安全に蓋を開閉できるのである。また、本発明のさらに他の効果は、外部蓋の上部側に開閉ボタンを備えて保管の時使用空間を最少化できるのである。
【発明を実施するための最良の形態】
【００２６】
以下、本発明に係る電気保温圧力飯釜について、特に、その蓋の開閉構造について好適な実施形態を添付の図面を参考にして詳しく説明する。
【００２７】
図３は本発明に係る電気保温圧力飯釜の圧力蓋の実施形態の構造を示した斜視図であり、図４は本発明による圧力蓋に備えられるヒンジボタンを示した斜視図であり、図５は本発明による圧力蓋に備えられる回転片を示した斜視図であり、図６は本発明による開閉ボタンの構造を示した分解斜視図であり、図７は本発明による開閉ボタンの作動状態を示したものであって、図７ａは押さえ部材が押さえられる前の状態を示した概略図な斜視図であり、図７ｂは押さえ部材が押さえられて開閉ボタンを成すスライドロックが移動された状態を示した概略的な斜視図である。
【００２８】
まず、本発明の電気保温圧力飯釜蓋の開閉構造による技術的構成要素のうち、内部釜、本体および外部蓋であるが、これらは従来技術と同一であるので、詳しい説明を省略することにした。そして、外部蓋と結合される圧力蓋の構成にのみ差異点があるのでこの点を説明する。
【００２９】
すなわち、本発明に係るものである本実施形態の電気保温圧力飯釜蓋の開閉構造は、内部に中間リング１７０が備えられている電気保温圧力飯釜の本体と、当該本体の上部側に開閉可能に結合されており内側に圧力蓋１００を備えている外部蓋とを有する電気保温圧力飯釜において、前記圧力蓋１００として、その周縁部に所定間隔で形成された複数個のガイド部１１０と、当該ガイド部１１０等の内側に回動可能に設置される回転片１２０と、前記ガイド部１１０に沿って備えられておりガイド部に対して移動可能である複数個の固定部材１３０と、前記ガイド部１１０および固定部材１３０に回動可能に連結されるヒンジボタン１４０ａ、ヒンジサーバー１４０ｂおよびヒンジセンサー１４０ｃと、前記ヒンジボタンの一側にワンタッチ方式で前記外部蓋を開閉させ得るように備えられる開閉ボタン１５０と、当該開閉ボタン１５０の一側に備えられる開閉ボタンを作動させるためのボタン部材１５０’と、圧力蓋１００の所定位置に備えられる第１スプリング固定具１０４ａおよび第２スプリング固定具１０４ｂと、両スプリング固定具１０４ａ，１０４ｂに固定されており前記回転片１２０の回転を制御する回転制御スプリング１０４と、前記圧力蓋１００に前記本体と締結できるように備えられるロック部材１６０と、を有するものが用いられていることを特徴とする。
【００３０】
これらの構成のうち、図３に示されるように、回転片１２０は、複数のガイド部１１０等の内側、すなわち複数のガイド部１１０に囲まれる圧力蓋１００の中心寄りの位置に回動可能に設置されている。また、各固定部材１３０は、ガイド部１１０の上側に設けられており、ガイド部１１０に案内されて移動するようになっている。そして、各固定部材１３０は、円盤形状である圧力蓋１００の半径方向（圧力蓋１００の中心からの放射方向）に移動する。つまり、ガイド部１１０は、固定部材１３０を圧力蓋１００の半径方向に移動可能に案内する部材である。ヒンジボタン１４０ａ、ヒンジサーバー１４０ｂおよびヒンジセンサー１４０ｃは、いずれも圧力蓋１００に回転自在に枢支されている。そして、ヒンジボタン１４０ａ、ヒンジサーバー１４０ｂおよびヒンジセンサー１４０ｃは、いずれも、回転可能な状態を維持した状態で、回転片１２０および固定部材１３０に連結されている。したがって、例えばヒンジボタン１４０ａがその枢軸（後述のボタン支持孔１４０ａ−１）を中心に回転すると、回転片１２０が回転し、残るヒンジサーバー１４０ｂおよびヒンジセンサー１４０ｃも回転する。また、このようにヒンジボタン１４０ａ、ヒンジサーバー１４０ｂおよびヒンジセンサー１４０ｃが回転すると、これらに連結されている固定部材１３０が圧力蓋１００の半径方向（放射方向）に移動する。ところで、開閉ボタン１５０はワンタッチ方式のボタンである。そして、本実施形態は、当該開閉ボタン１５０を作動させるためのボタン部材１５０’を備えている。なお、ワンタッチ方式の開閉ボタンとは、例えば上下動や左右動など一方向にのみ移動する部材を備えており、当該部材を一方の方向に押すという一動作（すなわちワンタッチ）を行うと、開閉ボタンが作動して、外部蓋の開動作および／または閉動作が行われるボタンである。したがって、ボタン部材１５０’を押すと開閉ボタン１５０が作動して外部蓋を開くことができるようになる。このような開閉構造にすると、開閉ボタン１５０を押すことによってワンタッチで簡単に外部蓋を開閉できる。なお、本体と外部蓋との締結に用いられるロック部材１６０は、圧力蓋１００の前方側に備えられるものである。圧力蓋１００において、その後方とは、外部蓋を本体に対して開閉自在に連結しているヒンジ寄りの位置であり、前方とは、それとは反対であるヒンジから最も遠い位置寄りの位置である。回転制御スプリング１０４は、回転片１２０が回転すると弾性変形して当該回転片１２０に断発力を付与するものである。この弾発力によって回転片１２０の回転が制御される。また、このようにして回転片１２０に付与された弾発力は、例えば、回転片１２０を回転させるために加えた力が解除されたときに、回転片１２０を元の位置に戻るように逆回転させる力として利用される。
【００３１】
回転片１２０は、内側に形成されている円形の固定孔１２０ａと、当該固定孔１２０ａを中心にして４方向に分岐形成された翼片１２２と、その周縁部に円形の帯形状に形成された案内片１２１とを有しており、前記翼片１２２と案内片１２１とが繋がっている部分に第１ホルダー固定孔１２３が形成されており、その一側に少なくとも１個以上のスプリング固定溝１２４が形成されており、所定位置に回動制御片１２５が形成されることを特徴とする。
【００３２】
これらの構成のうち、図５に示されるように、第１ホルダー固定孔１２３は、楕円形（小判形を含む）であり、その長軸が翼片１２２の延在方向に一致するように、より正確には固定部材１３０の移動方向に一致するように回転片１２０に形成されている。また、図示されるように、スプリング固定溝１２４は、第１ホルダー固定孔１２３に隣接する位置、別言すれば、翼片１２２の案内片１２１に対する付根位置に形成されている。
【００３３】
固定部材１３０は、下側に所定の幅で突出された係止突起１３１と、その上側に長手方向に延びるように形成されているガイド片１３２と、前記ガイド片１３２の上側部に前記回転片１２０の回転方向に楕円形を形成することにより備えられる第２ホルダー固定孔１３３と、固定部材１３０の移動方向に楕円形を形成することにより備えられる固定孔１３４とを有するものであることを特徴とする。
【００３４】
ここで、長手方向とは、固定部材１３０を圧力蓋１００に取り付けた状態で当該圧力蓋１００の半径方向に向けられる方向のことであり、固定部材１３０の移動方向とは、固定部材１３０のガイド片１３２をガイド部１１０に沿わせつつ固定部材１３０を移動させたときの当該固定部材１３０の移動方向である。そして、本実施形態では、長手方向と移動方向は一致している。このような構成の固定部材１３０では、ガイド片１３２をガイド部１１０に沿って移動させると、固定部材１３０がその長手方向（圧力蓋１００の半径方向）にスムーズ且つ正確に移動する。そして、固定孔１３４は、例えば、ガイド部１１０から固定部材１３０が外れないように連結するために用いられる。なお、固定孔１３４を形成する位置としては、第２ホルダー固定孔１３３の一側が好ましい。
【００３５】
さらに、前記ヒンジボタン１４０ａは、中心部に備えられたボタン支持孔１４０ａ−１を中心にして２方向に延びる分岐を有しており、一方の分岐の終端部下側に垂直方向に備えられ前記回転片１２０の第１ホルダー固定孔１２３に嵌められて噛み合わせられる第１ボタンホルダー１４０ａ−２と、他方の分岐の終端部下側に垂直方向に備えられ前記固定部材１３０の第２ホルダー固定孔１３３に嵌められて噛み合わせられる第２ボタンホルダー１４０ａ−３とを有し、前記第１ボタンホルダー１４０ａ−２の上側に所定の傾斜角をなす傾斜面１４０ａ−４’を有して突出されるように形成されている突起部１４０ａ−４を有することを特徴とする。
【００３６】
このような構成のヒンジボタン１４０ａは、ボタン支持孔１４０ａ−１において圧力蓋１００に回転可能に枢支されている。そして、このヒンジボタン１４０ａは、ボタン部材１５０’が垂直下方に押されたときに、その動きに応じて回転する。より具体的に説明すると、ヒンジボタン１４０ａは、突起部１４０ａ−４の傾斜面１４０ａ−４’でボタン部材１５０’に接しているものである。したがって、ボタン部材１５０’が押されて垂直下方へ移動すると、ボタン部材１５０’によって斜面１４０ａ−４’が押され、ヒンジボタン１４０ａが回転する。すると、第１ボタンホルダー１４０ａ−２が係合されている回転片１２０は、図３における右回り（時計回り）に所定角度回転し、第２ボタンホルダー１４０ａ−３が係合されている固定部材１３０が半径方向内側に所定距離移動する。つまり、突起部１４０ａ−４の傾斜面１４０ａ−４’は、後述するボタン部材１５０’のボタン押さえ面１５０’−２によって押されて、前記固定部材１３０を外側に移動させる。このとき、前記回転片１２０は時計回転方向に所定角度回転するようになる。この動作説明から解るように、ヒンジボタン１４０ａの一方の分岐の終端部下側には、垂直方向に延びており前記回転片１２０の第１ホルダー固定孔１２３に係合される凸形状の第１ボタンホルダー１４０ａ−２が形成されており、他方の分岐の終端部下側には、垂直方向に延びており前記固定部材１３０の第２ホルダー固定孔１３３に係合される凸形状の第２ボタンホルダー１４０ａ−３が形成されているということができる。また、突起部１４０ａ−４の傾斜面１４０ａ−４’は、ボタン部材１５０’に押される面であり、ボタン部材１５０’に押されてヒンジボタン１４０ａの回転方向に移動する面である。なお、垂直方向とは、ヒンジボタン１４０ａの回転面に対して垂直下方のことであり、ヒンジボタン１４０ａの回転軸方向のことである。そして、下方とは電気保温圧力飯釜の本体側に向かう方向のことである。
【００３７】
前記ヒンジサーバー１４０ｂは、中心部に備えられたサーバー支持孔１４０ｂ−１を中心にして２方向に分岐されており、一方の分岐の終端部下側に垂直方向に備えられ前記回転片１２０の第１ホルダー固定孔１２３に嵌められて噛み合わせられる第１サーバーホルダー１４０ｂ−２と、他方の分岐の終端部下側に垂直方向に備えられ前記固定部材１３０の第２ホルダー固定孔１３３に嵌められて噛み合わせられる第２サーバーホルダー１４０ｂ−３とを有することを特徴とする。併せて、前記ヒンジセンサー１４０ｃは、中心部に備えられたセンサー支持孔１４０ｃ−１を中心にして、２方向に延びる分岐を有しており、一方の分岐に前記固定部材１３０の第２ホルダー固定孔１２３に嵌められて噛み合わせられるセンサーホルダー１４０ｃ−２が備えられ、他方の分岐に前記回転片１２０の回転を制御するセンサー１４０ｃ−３が備えられていることを特徴とする。また、前記センサー１４０ｃ−３は、電気保温圧力飯釜に備えられた制御部(未図示)に連結されており、これにより、前記回転片１２０が回転したか否か、すなわち、ロック状態であるか否かを感知できるようになっている。
【００３８】
一方、前記開閉ボタン１５０は、内側にピンスプリング１５０ｄを固定できるように突出して形成されたピンスプリング固定ストッパ１５０ａ−１と、前記ピンスプリング１５０ｄを案内して固定できるように所定の幅を有して形成される第１ピンスプリング案内溝１５０ａ−２と、当該第１ピンスプリング案内溝１５０ａ−２と所定の間隔を開いて前記ピンスプリング１５０ｄを固定できるように備えられる第２ピンスプリング案内溝１５０ａ−３と、両ピンスプリング案内溝１５０ａ−２，１５０ａ−３の間の位置および当該位置の向かい側の位置に形成される所定幅で貫通されたロック案内溝１５０ａ−４と、その前方側に上下方向に貫通する状態で形成される制御部材締結溝１５０ａ−５が備えられた胴体部１５０ａと、前記胴体部１５０ａの前方に嵌められて前記ピンスプリング１５０ｄの遊動を調節するピンスプリング遊動制御部材１５０ｂと、前記ロック案内溝１５０ａ−４に結合され前記ピンスプリング１５０ｄの左右移動を調節するスライドロック１５０ｃからなることを特徴とする。
【００３９】
この開閉ボタン１５０は、概略的には細長形状の胴体部１５０ａを有するものであり、その長手方向が円盤形状の圧力蓋１００の半径方向（放射方向）に沿うように配置されている。そして、前述したように、開閉ボタン１５０は、左右方向（開閉ボタンの長手方向に直交しており圧力蓋の盤面に平行な方向）に移動可能なスライドロック１５０ｃと、開閉ボタンに装着されたピンスプリング１５０ｄとを備えている。また、ロック案内溝１５０ａ−４の前方側とは、胴体部１５０ａの前方側（すなわち胴体部１５０ａの前部）のことであり、開閉ボタン１５０を円盤形状の圧力蓋１００に取り付けた状態で、当該圧力蓋１００の半径方向外周縁側に位置する側のことである。ピンスプリング遊動制御部材１５０ｂは、前方側に形成された上限方向の貫通部に上下動自在に嵌められる。このような開閉ボタン１５０では、ボタン部材１５０’が垂直下方に押し込まれると、当該ボタン部材１５０’（具体的には後述する押さえ突起１５０’−３）に押されて、スライドロック１５０ｃが左右方向に移動する。より具体的には、図７ａにおける右手前側（ピンスプリング１５０ｄを開閉ボタン１５０の内側に押し込んで弾発力を付与する側）に移動する。そして、さらにボタン部材１５０’を下方に押し込むと、スライドロック１５０ｃを押していた後述の押さえ突起１５０’−３全体がスライドロック１５０ｃを通り越して下方側に移動してしまう。すると、スライドロック１５０ｃは、断発力が蓄積されたピンスプリング１５０ｄによって反対側に押し戻されて押さえ突起１５０’−３の上端面に係合する状態になる。つまり、ボタン部材１５０’はスライドロック１５０ｃによって上方への移動が規制された状態になる。この動作説明から解るように、ピンスプリング１５０ｄは、ボタン部材１５０’によって押されて移動されたスライドロック１５０ｃに、ボタン部材１５０’を押し戻す方向の押圧力を付与する部材であるということも可能である。
【００４０】
前記ピンスプリング遊動制御部材１５０ｂは、一側の所定位置に前記ピンスプリング１５０ｄを固定するピンスプリング固定溝１５０ｂ−１が備えられており、他側に、所定傾斜角を有するものであり且つ前記ピンスプリング１５０ｄの遊動を案内するものである第１傾斜部１５０ｂ−２’および第２傾斜部１５０ｂ−２’’を有するピンスプリング回転案内部材１５０ｂ−２が備えられていることを特徴とする。 
【００４１】
そして、例えば外部蓋が閉じられた状態（図７ａに示される状態）で、ボタン部材１５０’が押されてスライドロック１５０ｃが右斜め前方である押し方向（図７ａ参照）に移動し、これに伴いピンスプリング１５０ｄが開閉ボタン１５０の内側に押し込まれるように移動すると、ピンスプリング１５０ｄのうち胴体部１５０ａの長手方向に沿って真っ直ぐ延びる棒状部の先端によってピンスプリング回転案内部材１５０ｂ−２の第１傾斜部１５０ｂ−２’が押され、ピンスプリング遊動制御部材１５０ｂが上方（図７ａ参照）に移動する。そして、ピンスプリング１５０ｄの棒状部先端が所定の距離だけ右斜め前方（図７ａ）に移動すると、ピンスプリング１５０ｄの棒状部先端は、ピンスプリング回転案内部材１５０ｂ−２によって乗り越えられる。そして、ピンスプリング回転案内部材１５０ｂ−２は、その後、下方に移動する。つまり、図７ａを基に説明すると、ピンスプリング１５０ｄの棒状部先端がピンスプリング回転案内部材１５０ｂ−２よりも右斜め前方に位置する状態（第２傾斜部１５０ｂ−２’’に面する状態）になる。この状態になった後、スライドロック１５０ｃを右斜め前方に移動させていた押し付け力が解除されると、ピンスプリング１５０ｄの棒状部先端は、元の位置に戻るように左斜め後方に移動して、スライドロック１５０ｃを戻り方向に移動させると共に第２傾斜部１５０ｂ−２’’を押す状態になる。すると、ピンスプリング遊動制御部材１５０ｂは、ピンスプリング１５０ｄの棒状部先端によって下方に押され、後述の中間リング１７０のピンスプリング遊動制御突起１７２を押すことになり、外部蓋を開けることができるようになる。そして、外部蓋を開けた状態から閉めるときは、外部蓋を飯釜の本体に押し付けるようにする。すると、ピンスプリング遊動制御部材１５０ｂがピンスプリング遊動制御突起１７２によって押されて、胴体部１５０ａに対して相対上方に移動し、第２傾斜部１５０ｂ−２’’がピンスプリング１５０ｄの棒状部先端を押すようになる。すると、ピンスプリング１５０ｄが押し方向に移動されてスライドロック１５０ｃが押し方向に移動する。これにより、スライドロック１５０ｃの傾斜面１５０ｃ−２が形成されている先端部とボタン部材１５０’の押さえ突起１５０’−３との係合が解除されて、ボタン部材１５０’が元の位置に戻るように上方に移動する。またピンスプリング遊動制御部材１５０ｂが上方に移動されると、ピンスプリング１５０ｄの棒状部先端がピンスプリング回転案内部材１５０ｂ−２の下側を潜るようにして戻り方向に移動する。つまり第１傾斜部１５０ｂ−２’に面する最初の状態になる。この動作説明から解るように、ピンスプリング１５０ｄは、スライドロック１５０ｃを押し方向とは反対方向である戻り方向に押し戻すと同時にピンスプリング遊動制御部材１５０ｂを下側に押し込む部材であるということができる。また、ピンスプリング遊動制御部材１５０ｂは、戻り方向に移動するピンスプリング１５０ｄに押されると胴体部１５０ａに対して下方に移動し、電気保温圧力飯釜の本体に設けられた中間リング１７０の突起１７２に押されると胴体部１５０ａに対して上方に移動する部材であるといことができ、より具体的にはこのような動きを実現する第２傾斜部１５０ｂ−２’’を有するものであるということができる。
【００４２】
また、スライドロック１５０ｃは、所定位置に所定角を有する傾斜面１５０ｃ−２を有する一方、前記ピンスプリング１５０ｄを固定するピンスプリング固定溝１５０ｃ−１が備えられることを特徴とする。 そして、ボタン部材１５０’は、その下側部後方に、所定の傾斜角を有していると共に前記ヒンジボタン１４０ａの傾斜面１４０ａ−４’を押すものであるボタン押さえ面１５０’−２を備えており、一側面下側であって前記開閉ボタン１５０が位置する側に所定幅に亘っていると共に傾斜面を有しており突出されるように形成されている押さえ突起を備えていることを特徴とする。ここで、ボタン部材１５０’の後方（後方位置）とは、円盤形状の圧力蓋１００にボタン部材１５０’を取り付けた状態で当該圧力蓋１００の中心側のことである。なお、ボタン部材１５０’の上側には電気保温圧力飯釜の外部へ露出されるキャッチボタン(未図示)が着脱可能に装着されることが好ましい。
【００４３】
図７ａ及び図７ｂに示されたとおり、前記ボタン部材１５０’のボタン押さえ面１５０’−２によって前記開閉ボタン１５０を構成する前記スライドロック１５０ｃの傾斜面１５０ｃ−２を押してやると、前記ピンスプリング１５０ｄの一定な弾性力によって前記スライドロック１５０ｃ が前記ボタン部材１５０’の反対側方向に移動するようになる。前記電気保温圧力飯釜の蓋の開閉の際、同じ過程で行われるようになる。
【００４４】
ここで、先に説明した動作、すなわち、ボタン部材１５０’を下方に押し込むとスライドロック１５０ｃが左右方向に移動するという動作を、図７ａを参照しつつより詳細に説明すると、次のような動作ということができる。つまり、まずボタン部材１５０’が垂直下方に押し込まれると、その押さえ突起１５０’−３によって当該押さえ突起１５０’−３に当接しているスライドロック１５０ｃの傾斜面１５０ｃ−２が押されて、スライドロック１５０ｃが右斜め前方（図７ａ参照）に移動する動作である、ということができる。また、ボタン部材１５０’を下方に押し込むと、そのボタン押さえ面１５０’−２によって、当該ボタン押さえ面１５０’−２に当接しているヒンジボタン１４０ａの傾斜面１４０ａ−４’が押されて、ヒンジボタン１４０ａが回転する。
【００４５】
回転制御スプリング１０４は、その中心部が前記第１スプリング固定具１０４ａに結合されており、一端が前記回転片１２０の回転制御スプリング固定溝１２４に固定されており、他端が前記第２スプリング固定具１０４ｂに固定されていることを特徴とする。
【００４６】
このような回転制御スプリング１０４を設けておくと、ヒンジボタン１４０ａが回転されて回転片１２０が図７ａにおける右回りに回転（正回転）したとき、回転制御スプリング１０４が弾性変形し、当該スプリング１０４に断発力が蓄積される。そして、ヒンジボタン１４０ａを回転させた力が解除されると、スプリング１０４に蓄積された弾発力が放出されつつ回転片１２０が元の位置に戻るように逆回転する。この動作説明から解るように、回転制御スプリング１０４は、ヒンジボタン１４０ａによって回転された回転片１２０を、元の位置に戻るように逆回転させる回転力を付与する部材であるということが可能である。
【００４７】
なお、前記圧力蓋１００の内側所定位置には、前記本体内部の圧力状態によって上下側に遊動および／または制御される安全ピン１０２が備えられることを特徴とする。すなわち、内部釜(未図示)の内部圧力が過度に高い場合は、内部釜蓋(未図示)が上側に押し上げられて前記安全ピン１０２が上側に突出した状態になり、回転片１２０の回動制御片１２５によって当該回転片１２０が回転することが防止され、外部蓋の開放が防止される。これにより、使用者を圧力噴出の危険から保護することができるようになる。
【００４８】
また、前記ロック部材１６０は、中央部が後方側に突出されるように形成され所定角度に傾斜されるように形成された回動片１６２が備えられ、前記圧力蓋１００と連結される一方、胴体が回動できるようにヒンジ１６４が備えられ、その下側部に前記本体と噛み合わせられて締結できるように締結突起１６６が形成されることを特徴とする。なお、ロック部材１６０には、ヒンジ１６４と噛み合わせられて固定されるリターンスプリング(未図示)が備えられる。
【００４９】
ロック部材１６０についてさらに説明すると、概略的には、ロック部材１６０は、その胴体部分が円盤形状の圧力蓋１００の外周縁に位置するものである。そして、後方に突出するように形成されている回動片１６２の後方先端部は、押されることで上下動するボタン部材１５０’の下側に位置する。つまり、回動片１６２は、胴体部分から圧力蓋１００の半径方向中心側に向けて（すなわち後方側に）延びる部分であり、その端部はボタン部材１５０’のロック部材押さえ部材１５０’−１の下方に達している。このようなことから、ボタン部材１５０’を下方に押し込むと、ロック部材１６０の回動片１６２がボタン部材１５０’のロック部材押さえ部１５０’−１によって下方に押され、外部蓋が開かれるようになる。また、開いた外部蓋を電気保温圧力飯釜の本体側に押し付けて閉じようとするとロック部材１６０によって外部蓋が電気保温圧力飯釜の本体に締結されて外部蓋が閉じられた状態になる。この説明から解るように、ロック部材１６０は、ボタン部材１５０’を下方へ押し込むと回転する部材であり、締結突起１６６は、ロック部材１６０の回転によって外部釜の本体に着脱可能に係合する部材であり、回動片１６２は、ボタン部材１５０’によって実際に押されるものである。
【００５０】
そして、前記中間リング１７０には、前記開閉ボタン１５０をなすピンスプリング遊動制御部材１５０ｂと対応される位置にピンスプリング遊動制御突起１７２が備えられることを特徴とする。
【００５１】
このように、ピンスプリング遊動制御突起１７２を備えた中間リング１７０を設けておくと、ピンスプリング遊動制御部材１５０ｂが圧力蓋１００に対して相対的に下方に押し込まれたときに、当該ピンスプリング遊動制御部材１５０ｂがピンスプリング遊動制御突起１７２に突き当たって、圧力蓋１００の外周縁のうち、開閉ボタン１５０が設置されている位置が中間リング１７０（すなわち電気保温圧力飯釜の本体）に対して上方に押し上げられるように移動する。この説明から解るように、ピンスプリング遊動制御突起１７２は、圧力蓋１００に対して相対的に下方に押し込まれたピンスプリング遊動制御部材１５０ｂに当接して、圧力蓋を電気保温圧力飯釜の本体に対して上方に押し上げる部材であるということができる。
【００５２】
以下、本発明の実施例による作用を詳しく説明すれば次のとおりである。
すなわち、本発明による電気保温圧力飯釜蓋の開閉構造によれば、炊事状態においては、内部釜の圧力によって前記圧力蓋１００に備えられた安全ピン１０２が上に突出されるようになる。すると、前記回転片１２０に備えられた回動制御片１２５が前記安全ピン１０２によって係止される状態になり、回転片１２０が回転できない状態、すなわち回転片１０の回転が停止する状態になる。これにより、外部蓋が開放されることが防止され、使用者を圧力噴出の危険から保護することができる。そして、炊事後、保温のときには、内部釜の圧力が落ちて安全ピン１０２が自重によって下がるようになる。このとき、前記安全ピン１０２と回動制御片１２５とは離脱された状態になっており、ボタン部材１５０’を押すことができる状態になっている。
【００５３】
ここで、ボタン部材１５０’を押さえると、一側に形成された押さえ突起１５０’−３によって前記ヒンジボタン１４０ａが回動される。そして、このヒンジボタン１４０ａと相互に連結された回転板１２０を介して前記ヒンジサーバー１４０ｂおよびヒンジセンサー１４０ｃ に回転力が伝達される。その結果、これらに連結された固定部材１３０が外側に所定幅移動して外部蓋と本体とのロック状態が解除される。また、前記ボタン部材１５０’を押さえると、そのロック部材押さえ部１５０’−１によって回動片１６２が押され、ヒンジ１６４と噛み合わせられたリターンスプリング(図示されず)によって付勢されている締結突起１６６が開動して、締結突起１６６と本体との締結状態が解除され、外部蓋が開かれるようになる。このように、本実施形態の電気保温圧力飯釜では、ボタン部材１５０’を押すことによってワンタッチで飯釜の外部蓋を開くことができる。なお、開閉ボタン１５０およびボタン部材１５０’は、上方から下方に押し込むタイプのボタンであり、外部蓋の上部側に備えられている。このような位置に開閉ボタン１５０およびボタン部材１５０’を備えることができたので、電気保温圧力飯釜保管時の占有空間の最少化が図られることとなった。占有空間がより小さくなればより狭い空間に保管できるなど、保管がより容易である。
【００５４】
そして、前記電気保温圧力飯釜の蓋が開かれるとき、開閉ボタン１５０のピンスプリング遊動制御部材１５０ｂは、前記ピンスプリング１５０ｄによって下方に移動されることになる。他方、電気保温圧力飯釜の蓋を閉めるときには、前記中間リング１７０の固定突起１７２によって前記ピンスプリング遊動制御部材１５０ｂは上方に押し上げられるようになる。ピンスプリング遊動制御部材１５０ｂが上に上がると、スライドロック１５０ｃ がピンスプリング１５０ｄによってボタン部材１５０’の反対方向（図７ａにおける右斜め前方）に押されるようになる。このとき、ボタン部材１５０’と開閉ボタン１５０のロック状態が解除される。より具体的にいえば、ボタン部材１５０’の押さえ突起１５０’−３とスライドロック１５０ｃの傾斜面１５０ｃ−２が形成されている端部とのロック状態が解除される。すると、ボタン部材１５０’は、上方への移動が可能になり、ロック部材１６０の１６２を介して伝達されるヒンジ１６４のリターンスプリングの弾発力を受けて、元の位置に戻るように上方に移動する。これにより、ヒンジボタン１４０ａとロック部材１６０とが本来の状態に戻り、蓋が閉められるようになる。このように、本実施形態の電気保温圧力飯釜では、外部蓋を飯釜の本体に閉じるように押すことで簡単に外部蓋を閉めることができる。
【００５５】
以上においては、本発明の好ましい実施例を例示的に説明したが、本発明の範囲はこのような特定実施例にのみ限定されず、該当分野において通常の知識を有する者であれば、本発明の特許請求範囲内に記載されたカテゴリー内で適切に変更が可能である。
【図面の簡単な説明】
【００５６】
【図１】従来技術による電気保温圧力飯釜の蓋が開かれた状態を示した斜視図。
【図２】図１による概略的なＡ−Ａ線断面図。
【図３】本発明による圧力蓋の構造を示した斜視図。
【図４】本発明による圧力蓋に備えられるヒンジボタンを示した斜視図。
【図５】本発明による圧力蓋に備えられる回転片を示した斜視図。
【図６】本発明による開閉ボタンの構造を示した分解斜視図。
【図７ａ】開閉ボタンの作動状態であって、押さえ部材が押さえられる前の状態を示した概略的な斜視図。
【図７ｂ】押さえ部材が押さられ開閉ボタンを成すスライドロック(Slide Lock)が移動された状態を示した概略的な斜示図。
【符号の説明】
【００５７】
１００    圧力蓋
１１０    ガイド部
１２０    回転片
１３０    固定部材
１４０ａ  ヒンジボタン
１４０ｂ  ヒンジサーバー
１４０ｃ  ヒンジセンサー
１５０    開閉ボタン
１６０    ロック部材
１７０    中間リング
【図１】
2005007138.tif 000003
【図２】
2005007138.tif 000004
【図３】
2005007138.tif 000005
【図４】
2005007138.tif 000006
【図５】
2005007138.tif 000007
【図６】
2005007138.tif 000008
【図７ａ】
2005007138.tif 000009
【図７ｂ】
2005007138.tif 000010